(57)【要約】【課題】  ビーズ玩具に使用する球体供給具として、種類の異なる複数個の球体を収納し、収納される球体を容易に選択して１個ずつ取り出すことのできる取扱い易い球体供給具を提供する。【解決手段】  本発明の球体供給具1は、先端に球体9の出口である開口部21と、前方から中間部分に筒状幅細の把持部20と、後方に球体9を収納する複数の収納室を有する円形の第一収納部7と、更に後方に球体9を収納する複数の収納室を有する第二収納部8と、を備えた球体供給具1であって、第一収納部7から開口部21へと球体9を連通させる第一連絡路と、第二収納部8から開口部21へと球体9を連通させる第二連絡路と、各収納部を所定の角度だけ回転させる回動機構と、各収納部内部の球体9を１個だけ開口部21から取り出す球体取出機構と、把持部20に配置され球体取出機構を作動させる取出ボタン5と、を備える。【選択図】    図１
2013146390.tif 000002
【特許請求の範囲】
【請求項１】
先端に球体の出口である開口部と、前方から中間部分に筒状幅細の把持部と、後方に前記球体を収納する複数の収納室を有する円形の第一収納部と、更に後方に前記球体を収納する複数の収納室を有する第二収納部と、を備えた球体供給具であって、
前記第一収納部から前記開口部へと前記球体を連通させる第一連絡路と、
前記第二収納部から前記開口部へと前記球体を連通させる第二連絡路と、
前記各収納部を所定の角度だけ回転させる回動機構と、
前記各収納部内部の球体を１個だけ前記開口部から取り出す球体取出機構と、
前記把持部に配置され前記球体取出機構を作動させる取出ボタンと、
を備えることを特徴とする球体供給具。
【請求項２】
前記球体取出機構は、前記取出ボタンの押下時に球体を１個だけ取り出して待機させる球体待機空間を各収納部からの球体の出口近傍に有し、
前記取出ボタンの押下後の復帰動作のときに、何れかの前記球体待機空間に待機させていた球体を前記各連絡路に移送させることを特徴とする請求項１に記載の球体供給具。
【請求項３】
前記各収納部は、表面を透明材質により形成されていることを特徴とする請求項１又は請求項２に記載の球体供給具。
【請求項４】
前記回動機構は、前記第一収納部と同軸とされて回転する第一歯車と、前記第二収納部と同軸とされて回転する第二歯車と、前記第一歯車と前記第二歯車とを連結させる連結歯車とを有することを特徴とする請求項１乃至請求項３の何れかに記載の球体供給具。
【請求項５】
前記第一収納部の収納室数と前記第二収納部の収納室数を同数とし、前記第一歯車の歯数と前記第二歯車の歯数とが同数であることを特徴とする請求項４に記載の球体供給具。
【請求項６】
前記第一歯車の歯数と前記第二歯車の歯数とが各収納室数の２倍であることを特徴とする請求項４又は請求項５に記載の球体供給具
【請求項７】
前記球体取出機構を作動させる度に前記各収納部を揺動させる揺動機構を備えていることを特徴とする請求項１乃至請求項６の何れかに記載の球体供給具。
【請求項８】
前記揺動機構は、前記取出ボタンの操作時に作動する前記球体取出機構のアーム部に設置した突起部と、前記回動機構の前記連結歯車の各歯に設置された揺動ピンとにより形成されていることを特徴とする請求項７に記載の球体供給具。
【発明の詳細な説明】
【技術分野】
【０００１】
本発明は、種類の異なる球体を１個ずつ取り出すことのできる球体供給具に関する。
【背景技術】
【０００２】
従来、球体であるビーズを用いて絵模様を作成するビーズ玩具がある。このようなビーズ玩具としては、例えば、ビーズを熱融解して互いを融着することにより模様を作るビーズ玩具や、接着面にビーズを接着させて模様を作るビーズ玩具、並べたビーズに液体を塗布することで表面を融着させて模様を作るビーズ玩具等がある。ビーズ玩具に用いられるビーズは小径の粒状球体が一般的であり、この球体を手で摘んで作業するには手先の器用さが必要である。また、小児にとって小さな球体は扱いにくいものである。
【０００３】
そこで、下記に示す特許文献１では、球体を供給する球体供給具として、ケース収容部を備えた本体部と、円周方向に複数の球体収納空間を備えてケース収容部に回転可能に保持される球体収納ケースと、から構成され、本体部は、把持部の先端に開口部を有し案内路を把持部内に有し、球体収納ケースを所定の角度だけ回転させる回動機構と、球体収納空間内の球体を１個だけ案内路に移送させる球体取出機構と、を本体部に内蔵し、回動機構を作動させる回動操作ボタンと球体取出機構を作動させる取出ボタンとを把持部に備えることにより、複数個の着色球体を色分けして収納し、収納される各色の着色球体を１個ずつ選択的に取り出すことのできる球体供給具が提案されている。
【先行技術文献】
【特許文献】
【０００４】
【特許文献１】特開２０１１―１３６０３７号公報
【発明の概要】
【発明が解決しようとする課題】
【０００５】
しかしながら、特許文献１の球体供給具は、球体を収納する収納部を備える球体収納ケースが１つであることから、円周方向に複数の収納室を設けて球体を収納するにあたって、球体の種類を豊富に収納するように収納室の数を増加させるには限界があり、しかも、単一性の球体を豊富に収納するために収納室を大きくするように円形の球体収納ケースの径を大きくすると、球体収納ケースを回転させて球体を選択する操作に時間がかかってしまうという課題があった。
【０００６】
本発明は、このような従来技術の問題点に鑑みてなされたものであり、ビーズ玩具に使用する球体供給具として、種類の異なる複数個の球体を収納し、収納される球体を容易に選択して１個ずつ取り出すことのできる取扱い易い球体供給具を提供することを目的としている。
【課題を解決するための手段】
【０００７】
本発明の球体供給具は、先端に球体の出口である開口部と、前方から中間部分に筒状幅細の把持部と、後方に前記球体を収納する複数の収納室を有する円形の第一収納部と、更に後方に前記球体を収納する複数の収納室を有する第二収納部と、を備えた球体供給具であって、前記第一収納部から前記開口部へと前記球体を連通させる第一連絡路と、前記第二収納部から前記開口部へと前記球体を連通させる第二連絡路と、前記各収納部を所定の角度だけ回転させる回動機構と、前記各収納部内部の球体を１個だけ前記開口部から取り出す球体取出機構と、前記把持部に配置され前記球体取出機構を作動させる取出ボタンと、を備えることを特徴とする。
【０００８】
また、本発明の球体供給具において、前記球体取出機構は、前記取出ボタンの押下時に球体を１個だけ取り出して待機させる球体待機空間を各収納部からの球体の出口近傍に有し、前記取出ボタンの押下後の復帰動作のときに、何れかの前記球体待機空間に待機させていた球体を前記各連絡路に移送させることを特徴とする。
【０００９】
そして、本発明の球体供給具において、前記各収納部は、表面を透明材質により形成されていることを特徴とする。
【００１０】
さらに、本発明の球体供給具において、前記回動機構は、前記第一収納部と同軸とされて回転する第一歯車と、前記第二収納部と同軸とされて回転する第二歯車と、前記第一歯車と前記第二歯車とを連結させる連結歯車とを有することを特徴とする。
【００１１】
そして、本発明の球体供給具において、前記第一収納部の収納室数と前記第二収納部の収納室数を同数とし、前記第一歯車の歯数と前記第二歯車の歯数とが同数であることを特徴とする。
【００１２】
また、本発明の球体供給具において、前記第一歯車の歯数と前記第二歯車の歯数とが各収納室数の２倍であることを特徴とする。
【００１３】
さらに、本発明の球体供給具は、前記球体取出機構を作動させる度に前記各収納部を揺動させる揺動機構を備えていることを特徴とする。
【００１４】
また、本発明の球体供給具において、前記揺動機構は、前記取出ボタンの操作時に作動する前記球体取出機構のアーム部に設置した突起部と、前記回動機構の前記連結歯車の各歯に設置された揺動ピンとにより形成されていることを特徴とする。
【発明の効果】
【００１５】
本発明によれば、ビーズ玩具に使用する球体供給具として、種類の異なる複数個の球体を各々第一収納部と第二収納部に分けて収納し、収納される球体を容易に選択して１個ずつ取り出すことのできる取扱い易い球体供給具を提供することができる。
【００１６】
さらに、本発明によれば、球体供給具は取出ボタンの押下時に球体を１個だけ取り出す構成とすることにより、遊戯時に所定の球体を確実に取り出すことができる。
【００１７】
そして、本発明によれば、球体供給具において、各収納部は、表面を透明材質により形成されていることから、球体の選択を容易としている。
【００１８】
また、本発明によれば、回動機構は、第一収納部と同軸とされて回転する第一歯車と、第二収納部と同軸とされて回転する第二歯車と、第一歯車と第二歯車とを連結させる連結歯車とを有することから、収納部を回転させると、他の収納部を回転させて何れかの収納部のみを選択することができる。
【００１９】
さらに、本発明によれば、第一収納部の収納室数と第二収納部の収納室数を同数とし、第一歯車の歯数と第二歯車の歯数とが同数であることから、第一歯車と第二歯車を等速度で回転させて交互に収納室出入口を収納部出口に位置させることも可能となり、選択操作を容易とすることができる。
【００２０】
そして、本発明によれば、第一歯車の歯数と第二歯車の歯数とが各収納室数の２倍であることから、各収納室の円周上に隣接する収納室の中間点で停止させて、何れかの収納部から球体を取出すことを可能としている。
【００２１】
また、本発明によれば、球体供給具は、球体取出機構を作動させる度に各収納部を揺動させる揺動機構を備えていることから、収納部を揺動させて、収納される複数個の球体を攪拌させて、玉詰まりを起こすことなく確実に球体を取り出すことができる。
【００２２】
さらに、本発明によれば、揺動機構は、取出ボタンの操作時に作動する球体取出機構のアーム部に設置した突起部と、回動機構の連結歯車の各歯に設置された揺動ピンとにより形成されていることから、専用部材を設けることなく、部品数の軽減に寄与することができる。
【図面の簡単な説明】
【００２３】
【図１】本発明の実施例に係る球体供給具を示す外観斜視図である。
【図２】本発明の球体供給具の第一収納部の球体取出機構を示す側面模式図である。
【図３】本発明の球体供給具の第一収納部の球体取出機構を示す側面模式図である。
【図４】本発明の球体供給具の第二収納部の球体取出機構を示す側面模式図である。
【図５】本発明の球体供給具の第二収納部の球体取出機構を示す側面模式図である。
【図６】本発明の球体供給具の回動機構及び揺動機構を示す側面模式図である。
【図７】本発明の球体供給具の揺動機構を示す側面模式図である。
【図８】本発明の球体供給具の揺動機構を示す側面模式図である。
【発明を実施するための形態】
【００２４】
以下、本発明を実施するための形態について述べる。球体供給具1は、先端に球体9の出口である開口部21と、前方から中間部分に筒状幅細の把持部20と、後方に球体9を収納する複数の収納室を有する円形の第一収納部7と、更に後方に球体9を収納する複数の収納室を有する第二収納部8と、を備える。また、球体供給具1は、内部に第一収納部7から開口部21へと球体9を連通させる第一連絡路15と、第二収納部8から開口部21へと球体9を連通させる第二連絡路16と、を備える。さらに、球体供給具1は、内部に各収納部を所定の角度だけ回転させる回動機構を備える。そして、球体供給具1は、内部に各収納部内部の球体9を１個だけ開口部21から取り出す球体取出機構である作動ブロック100による第一収納部取出機構30と第二収納部取出機構40と、把持部20に配置され球体取出機構を作動させる取出ボタン5と、を備える。
【００２５】
作動ブロック100は、取出ボタン5の押下時に球体9を１個だけ取り出して待機させる球体待機空間37,47を各収納部からの球体9の出口近傍に有し、取出ボタン5の押下後の復帰動作のときに、何れかの球体待機空間37,47に待機させていた球体9を各連絡路に移送させる。
【００２６】
そして、各収納部は、表面を透明材質により形成されているものである。
【００２７】
さらに、球体供給具1において、回動機構は、第一収納部7と同軸とされて回転する第一歯車70と、第二収納部8と同軸とされて回転する第二歯車80と、第一歯車70と第二歯車80とを連結させる連結歯車75とを有する。
【００２８】
そして、球体供給具1において、第一収納部7の収納室数と第二収納部8の収納室数を同数とし、第一歯車70の歯数と第二歯車80の歯数とは同数とされている。
【００２９】
また、球体供給具1において、第一歯車70の歯数と第二歯車80の歯数とが各収納室数の２倍である。
【００３０】
さらに、球体供給具1は、作動ブロック100を作動させる度に各収納部を揺動させる揺動機構を備えているものである。
【００３１】
また、揺動機構は、取出ボタン5の操作時に作動する作動ブロック100のアーム部である第二収納部取出アーム42に設置した突起部である揺動突起60と、回動機構の連結歯車75の各歯に設置された揺動ピン76とにより形成されているものである。
【実施例】
【００３２】
以下、本発明の実施例を図に基づいて詳説する。図１は、球体供給具1の外観斜視図である。なお、球体供給具1は球体9が排出される開口部21側を前方とし、球体9の装填された収納部側を後方とし、前方に対する左右を夫々に右方、左方とする。また、球体供給具1は取出ボタン5側を上方とし、ボタンを押圧する方向を下方とする。
【００３３】
本発明に係る球体供給具1は、２つの収納部の各収納室に異なる種類の球体9を収納しており、何れかの球体9を選択して、選んだ球体9を１個取り出して基板などにおける所定の位置に配置させることができるものである。
【００３４】
この球体供給具1は、図１に示すように、先端に球体9の出口である開口部21と、前方から中間部分にペンのように持つことのできる筒状幅細の把持部20と、後方に球体9を収納する複数の収納室を有する円形の第一収納部7と、更に後方に球体9を収納する複数の収納室を有する円形の第二収納部8と、を備える。
【００３５】
また、球体供給具1は、内部に第一収納部7及び第二収納部8を所定の角度だけ回転させる回動機構を備える。また、球体供給具1は、裏面側に図示しないノブを有しており、ノブを回転させることにより第一収納部7及び第二収納部8を回転させることが可能である。なお、回動機構における歯車の構造については、後で詳細に説明する。
【００３６】
また、この第一収納部7及び第二収納部8は、何れかを回転させることにより、もう一方の収納部を同一角度だけ回転させることとなる。
【００３７】
そして、球体供給具1は、把持部20に配置され球体9を取り出す取出ボタン5と、上方に球体供給具1内部に球体9を装填させるために開口可能な球体装填蓋12と、を備える。また、各収納部は、表面を透明材質により形成されている。
【００３８】
第一収納部7は、中心から円周方向への６つの仕切板91により区画された第一収納部用収納室94を有しており、各第一収納部用収納室94によって、６つの異なる種類の球体9を収納可能とされている。そして、この６つの第一収納部用収納室94には、表面に収納室に装填した球体9を選択可能とするシルク印刷や一体成形による星形等の同様の形状からなる指標92が夫々に形成されている。
【００３９】
また、第一収納部用収納室94に装填された球体9を開口部21から排出させるため、又は、第一収納部用収納室94に球体9を装填させるために、第一収納部7の円形外周壁には、矩形状の開口部分となる収納室出入口93を各室毎に形成している。
【００４０】
さらに、第一収納部7の前方表面には、指標92に合わせて取り出す球体9を選択可能とするように、本体部分から突出した第一収納部7に干渉しないように隙間を設けて設置したカバー体であって、第一収納部7の表面でＬ字とされた扇型の成形部品で指標92を表示可能とする丸孔による指標合せ窓90を設置している。
【００４１】
そして、第一収納部7の後方に位置するもう一つの収納部である第二収納部8は、第一収納部7よりやや径を大きくした円形とされて、中心から円周方向への６つの仕切板96により区画された第二収納部用収納室99を有しており、各第二収納部用収納室99によって、第一収納部7同様に６つの異なる種類の球体9を収納可能とされている。そして、この６つの第二収納部用収納室99には、表面に収納室に装填した球体9を選択可能とするシルク印刷や一体成形による星形等の同様の形状からなる指標97が夫々に形成されている。
【００４２】
また、第二収納部用収納室99に装填された球体9を開口部21から排出させるため、又は、第二収納部用収納室99に球体9を装填させるために、第二収納部8の円形外周壁には、矩形状の開口部分となる収納室出入口98を各室毎に形成している。
【００４３】
さらに、第二収納部8の前方表面には、指標97に合わせて取り出す球体9を選択可能とするように、本体部分から突出した第二収納部8に干渉しないように隙間を設けて設置したカバー体であって、第二収納部8の表面でＬ字とされた扇型の成形部品で指標97を表示可能とする六角形孔による指標合せ窓95を設置している。
【００４４】
そして、この２つの指標合せ窓90、95を見ながら第一収納部7又は第二収納部8を回転させると、後述する回動機構により何れか一方の指標合せ窓90,95から指標92,97が表示されて取出す球体9の選択が可能とされる。
【００４５】
次に、球体供給具1の内部構造について図を用いて説明する。球体供給具1は、内部構造を示す図２に示すように、第一収納部7からケース内上方を経て開口部21の内側に形成した通路14へと球体9を連通させる第一連絡路15と、ケース内下方で第一収納部7の外周に沿って第二収納部8から開口部21の内側に形成した通路14へと球体9を連通させる第二連絡路16と、を備える。
【００４６】
そして、球体供給具1は、取出ボタン5の操作に応じて球体9を排出する機構である球体取出機構として、作動ブロック100により形成する第一収納部取出機構30と第二収納部取出機構40とを備え、作動ブロック100の前端上方には球体取出機構を作動させる取出ボタン5を備える。
【００４７】
作動ブロック100は、側面と平行をなす図示しない板状体であって、略中央部に第一収納部7の回転中心と同軸とする揺動中心を有し、揺動中心よりも前方に第一収納部取出機構30と、揺動中心よりも後方の後端近傍に第二収納部取出機構40を有する。
【００４８】
そして、作動ブロック100は、第一収納部取出機構30を生成するため、第一収納部7から前方において開口部21の内側に形成した通路14と第一収納部7とを接続するための第一連絡路15を有し、該第一連絡路15は、作動ブロック100から垂直に立設させた壁体である通路用壁により生成しており、さらに、第二収納部取出機構40を生成するため、第二収納部8近傍に配置される第二収納部取出アーム42、第二収納部取出アーム42上の壁体であるＬ字型待機室用側壁45及び待機室用側壁46を有する。
【００４９】
そして、第一収納部取出機構30は、図２に示したように、第一収納部7に収納された球体9を前方側に位置する収納室出入口93と一致された収納部出口34から排出された球体9を通路14へと導く第一連絡路15の入口に１個だけ待機させるための円弧形状をしてケースの所定位置に形成された待機室用係止壁33を備える。なお、収納部出口34は、第一収納部7の各収納室の指標92を指標合せ窓90から適正に表示させるように回転させて設定すると、収納室出入口93と一致して球体9を取出し可能とすることができるものである。
【００５０】
また、第一収納部取出機構30は、待機室用係止壁33により後述する球体待機空間を形成するために第一連絡路15の下方の通路用壁上に左右方向の溝状の孔を設けて、取出ボタン5の上下動に応じて待機室用係止壁33を第一連絡路15内に出入りさせる係止壁通過孔32を備える。
【００５１】
なお、取出ボタン5を上下動させる作動ブロック100の揺動に際し、取出ボタン5を上方に突出させるように付勢するバネ31を第一連絡路15の下方の通路用壁の屈曲部分下部に設置している。
【００５２】
さらに、第一収納部取出機構30は、第一連絡路15の下方通路用壁において、係止壁通過孔32と収納部出口34の間に、作動ブロック100からＬ字形状に垂設して形成したＬ字型待機室用側壁35を備える。
【００５３】
そして、第二収納部取出機構40は、図２に示したように、第二収納部8近傍において、側面に平行に配置される作動ブロック100の後端部分をなす先述の第二収納部取出アーム42を備える。
【００５４】
第二収納部取出機構40には、第二収納部8に収納された球体9を前方側に位置する収納室出入口98と一致することにより収納部出口44から排出されると通路14へと導く第二連絡路16の入口に１個だけ待機させるための円弧形状をして固定状態とされる待機室用係止壁43がケースに形成されている。ない、収納部出口44は、第二収納部8の各収納室の指標97を指標合せ窓95から適正に表示させるように回転させて設定すると、収納室出入口98と一致して球体9を取出し可能とすることができるものである。
【００５５】
また、第二収納部取出機構40には、待機室用係止壁43により後述する球体待機空間を形成するための第二収納部取出アーム42からそれぞれ垂設して形成したＬ字型待機室用側壁45及び待機室用側壁46を備える。
【００５６】
このようにして、球体取出機構である作動ブロック100は、取出ボタン5の操作に応じて球体9を排出する機構として、第一収納部取出機構30と第二収納部取出機構40とを夫々に作動させて、所定の球体9を取り出す機能を有する。
【００５７】
続いて、所定の球体9を取り出す球体取出機構の動作について、図２乃至図５を用いて説明する。図２は、第一収納部7内部の球体9を選択されて取出ボタン5を押下されていない状態の球体取出機構を示す側面模式図である。図３は、第一収納部7内部の球体9を選択されて取出ボタン5を押下された状態の球体取出機構を示す側面模式図である。図４は、第二収納部8内部の球体9を選択されて取出ボタン5を押下されていない状態の球体取出機構を示す側面模式図である。図５は、第二収納部8内部の球体9を選択されて取出ボタン5を押下された状態の球体取出機構を示す側面模式図である。
【００５８】
球体供給具1は、図２に示したように、第一収納部7における指標合せ窓90に指標92を合せておくことにより、先述のとおり収納部出口34と収納室出入口93とを一致させて、第一収納部7の球体9を取出し可能とすることができる。
【００５９】
そして、球体供給具1は、取出ボタン5を押下されていないときには、図２に示したように、第一収納部取出機構30のＬ字型待機室用側壁35と、第二収納部取出機構40のＬ字型待機室用側壁45と、が各収納部出口34,44の前方に配置されて球体9の排出の妨げとなっている。
【００６０】
そこで、球体供給具1において、取出ボタン5を下方である内方に押し込まれると、図３に示すように、第一収納部取出機構30の第一連絡路15が下方に移動されることにより、球体9の排出の妨げとなっていたＬ字型待機室用側壁35を下方に移動させて収納部出口34を開放させることとなる。
【００６１】
そして、収納部出口34が開放されるとともに、収納部出口34前方に位置する待機室用係止壁33により、球体9を１個分だけ待機させることが可能となる球体待機空間37を生成する。
【００６２】
球体待機空間37は、待機室用係止壁33、Ｌ字型待機室用側壁35、及び収納部出口34近傍に位置する第一連絡路15の上方の通路用壁により三方を囲まれて空間となって、球体9の１個分を待機させる。
【００６３】
そして、待機させた球体9は、取出ボタン5を上方に復帰させると、第一収納部取出機構30の第一連絡路15が上方に移動されることにより、待機させた球体9の排出の妨げとなっていた待機室用係止壁33が係止壁通過孔32を通過して第一連絡路15の下方に位置することとなり、球体待機空間37に待機していた球体9を第一連絡路15に連絡し通路14を介して開口部21から排出することとなる。
【００６４】
そして、球体供給具1は、図４に示すように、第二収納部8における指標合せ窓95に指標97を合せておくことにより、収納部出口44と収納室出入口98とを一致させて、第二収納部8の球体9を取出し可能とすることができる。
【００６５】
そして、球体供給具1は、取出ボタン5を押下されていないときには、図４に示したように、作動ブロック100の板状体に垂設された第二収納部取出機構40のＬ字型待機室用側壁45が収納部出口44の前方に配置されて球体9の排出の妨げとなっている。
【００６６】
そこで、球体供給具1において、取出ボタン5を下方である内方に押し込まれると、図５に示すように、第二収納部取出機構40の第二収納部取出アーム42が上方に移動されることにより、球体9の排出の妨げとなっていたＬ字型待機室用側壁45を上方に移動させて収納部出口44を開放させることとなる。
【００６７】
そして、収納部出口44が開放されるとともに、収納部出口44前方に位置する待機室用係止壁43と、Ｌ字型待機室用側壁45のＬ字部分及び待機室用側壁46とにより、球体9を１個分だけ待機させることが可能となる球体待機空間47を生成する。
【００６８】
このように、球体待機空間47は、待機室用係止壁43、Ｌ字型待機室用側壁45、及び
待機室用側壁46の三方を囲まれて空間となって、球体9の１個分を待機させる。
【００６９】
そして、待機させた球体9は、取出ボタン5を上方に復帰させると、第二収納部取出機構40の第二収納部取出アーム42が下方に移動されることにより、待機させた球体9が下方に移動されて、待機室用係止壁43の下方に移動し、球体待機空間47に待機していた球体9を第二連絡路16に連絡し通路14を介して開口部21から排出することとなる。
【００７０】
なお、第二連絡路16には、途中、係止突起39の先端が第二連絡路16の内側に一部突出されており、球体待機空間47に待機していた球体9が勢いよく落下してきたときには、第一収納部7の外周に沿って湾曲した第二連絡路16を通過した後、球体9は、第二連絡路16の内側に沿って落下することとなり、係止突起39に衝突して、その落下速度を遅くさせて排出されることとなる。また、球体待機空間47に待機していた球体9が遅い速度で落下してきたときには、第二連絡路16の外側の壁面に沿って落下することもあるが、この場合は、係止突起39へ衝突することがなくても、その遅い落下速度で排出され、所定の球体位置へ開口部21から排出された球体9が所定位置で跳ね上がることなく球体9を並べることができる。
【００７１】
次に、回動機構について説明する。図６は、球体供給具1の回動機構である第一収納部7及び第二収納部8の内部を示す側面模式図である。
【００７２】
回動機構は、第一収納部7の内部に位置する第一歯車70、第二収納部8の内部に位置する第二歯車80、及び、第一歯車70と第二歯車80とを連結して各歯の左側面側に円柱状の揺動ピン76を垂設している連結歯車75からなる歯車列と、各収納部の回転時のクリック感等の感応性を高めるとともに、停止位置で適正に停止状態を保持させる係止部材である歯車係止部50とを備える。
【００７３】
歯車列は、各歯車が１２歯からなる等速歯車列であって、各収納部を３０度づつ回転させることとなる。そして、第一収納部7と第一歯車70は、第一歯車軸71において同軸で作動するように連結されており、同様に第二収納部8と第二歯車80も、第二歯車軸81において同軸で作動するように連結されている。
【００７４】
なお、第一歯車70の歯数と第二歯車80の歯数とは同数とされており、歯数は、同数とされている第一収納部7の収納室数及び第二収納部8の収納室数の２倍とされている。
【００７５】
歯車係止部50は、連結歯車75の歯と歯の隙間に係止させるように配置させる回転体係止突起51と、回転体係止突起51を連結歯車75の歯と歯の隙間から離脱可能なように突起部後方に配置させる弾性体であるバネ55を有する。
【００７６】
このようにして、回動機構は、第一収納部7と第二収納部8とが各指標合せ窓90,95において何れかしか合致しないようにずらして配置させ、歯車係止部50により各収納部の回転時のクリック感等の感応性を高めるとともに、回転体（各収納部）の停止位置で適正に停止状態を保持させる構成としている。
【００７７】
なお、第一歯車70と第二歯車80と連結歯車75とは歯数を同数として、歯車列を構成するようにして説明してきたが、これに限定されず、例えば、連結歯車75の歯数については、多くしたり少なくするようにしても構わない。
【００７８】
また、歯車係止部50は、連結歯車75の回転を係止するように配置することに限ることなく、第一歯車70、又は第二歯車80を直接係止する位置に設けることもある。
【００７９】
次に、球体取出し時に収納室の球体9を適正に微動させて確実に１個の球体9を取り出すための揺動機構について図６乃至図８を用いて説明する。
【００８０】
揺動機構は、取出ボタン5の操作に連動して、連結歯車75を揺動させるようにして第一収納部7と同軸で作動する第一歯車70及び第二収納部8と同軸で作動する第二歯車80を微動させるものである。
【００８１】
具体的には、取出ボタン5の操作に連動して一往復の上下動を行う第二収納部取出アーム42の上方に揺動突起60を垂設しており、揺動突起60の一往復の動作により、連結歯車75の歯に形成されている揺動ピン76と係合して、僅かに連結歯車75を作動させ、それに連動する第一歯車70及び第二歯車89を微動させることにより、それぞれの歯車に連動する各収納部を揺らして球体9の球詰まりを防止するものである。
【００８２】
揺動突起60は、図６に示すように、取出ボタン5が押下されていない状態では、連結歯車75の揺動ピン76とは接触していない。
【００８３】
そして、揺動突起60は、図７に示すように、取出ボタン5が中間地点まで押下されると、揺動突起60が上方に移動して、近傍に位置する連結歯車75の歯に形成されている揺動ピン76と接触する。
【００８４】
さらに、揺動突起60は、図８に示すように、取出ボタン5が最下点まで押下されると、さらに揺動突起60が上方に移動して、接触していた揺動ピン76を僅かに上方移動させることにより、連結歯車75を約１０度程回転させる。
【００８５】
連結歯車75は、歯車係止部50により、回転体（各収納部）の停止状態を保持させる構成とされており、回転体自体は３０度刻みで歯車を一段づつ、回転角にして３０度づつ回転させる構成とされていることから、揺動機構により１０度回転されても、歯車係止部50によるバネ55の弾性力により元の位置に復帰する。
【００８６】
なお、揺動機構は、取出ボタン5の操作に連動して、第一収納部7と同軸で作動する第一歯車70及び第二収納部8と同軸で作動する第二歯車80を微動させるために、本実施例では揺動ピン76を歯車に設置した連結歯車75を僅かに作動させるものであったが、例えば、第一歯車70や第二歯車80の歯車に揺動ピンを設置して揺動機構により、各歯車を作動させるようにしても構わない。
【００８７】
以上のように本発明の実施形態によれば、ビーズ玩具に使用する球体供給具1として、種類の異なる複数個の球体9を収納し、収納される球体9を容易に選択して１個ずつ取り出すことのできる取扱い易い球体供給具1を提供することができる。
【００８８】
さらに、本発明によれば、球体供給具1は取出ボタン5の押下時に球体9を１個だけ取り出す構成とすることにより、遊戯時に所定の球体9を確実に取り出すことができる。
【００８９】
そして、本発明によれば、球体供給具1において、各収納部は、表面を透明材質により形成されていることから、球体9の選択を容易としている。
【００９０】
また、本発明によれば、回動機構は、第一収納部7と同軸とされて回転する第一歯車70と、第二収納部8と同軸とされて回転する第二歯車80と、第一歯車70と第二歯車80とを連結させる連結歯車75とを有することから、収納部7,8を回転させると、他の収納部7,8を回転させて何れかの収納部7,8のみを選択することができる。
【００９１】
さらに、本発明によれば、第一収納部7の収納室数と第二収納部8の収納室数を同数とし、第一歯車70の歯数と第二歯車80の歯数とが同数であることから、第一歯車70と第二歯車80を等速度で回転させて交互に収納室出入口を収納部出口に位置させることも可能となり、選択操作を容易とすることができる。
【００９２】
そして、本発明によれば、第一歯車70の歯数と第二歯車80の歯数とが各収納室数の２倍であることから、各収納室の円周上に隣接する収納室の中間点で停止させて、何れかの収納部7,8から球体9を取出すことを可能としている。
【００９３】
また、本発明によれば、球体供給具1は、球体取出機構を作動させる度に各収納部7,8を揺動させる揺動機構を備えていることから、収納部7,8を揺動させて、収納される複数個の球体9を攪拌させて、玉詰まりを起こすことなく確実に球体9を取り出すことができる。
【００９４】
さらに、本発明によれば、揺動機構は、取出ボタン5の操作時に作動する球体取出機構のアーム部に設置した突起部と、回動機構の連結歯車75の各歯に設置された揺動ピン76とにより形成されていることから、専用部材を設けることなく、部品数の軽減に寄与することができる。
【符号の説明】
【００９５】
1   球体供給具                            5   取出ボタン
7   第一収納部                            8   第二収納部
9   球体  
12   球体装填蓋                           14   通路
15   第一連絡路                           16   第二連絡路
20   把持部                               21   開口部
30   第一収納部取出機構                   31   バネ
32   係止壁通過孔                         33   待機室用係止壁
34   収納部出口                           35   Ｌ字型待機室用側壁
36   待機室用側壁                         37   球体待機空間
39   係止突起
40   第二収納部取出機構                   42   第二収納部取出アーム
43   待機室用係止壁                       44   収納部出口
45   Ｌ字型待機室用側壁                   46   待機室用側壁
47   球体待機空間
50   歯車係止部                           51   回転体係止突起
55   バネ
60   揺動突起                             70   第一歯車
71   第一歯車軸                           75   連結歯車
76   揺動ピン                             80   第二歯車
81   第二歯車軸
90   指標合せ窓                           91   仕切板
92   指標                                 93   収納室出入口
94   第一収納部用収納室
95   指標合せ窓                           96   仕切板
97   指標                                 98   収納室出入口
99   第二収納部用収納室                  100   作動ブロック
【図１】
2013146390.tif 000003
【図２】
2013146390.tif 000004
【図３】
2013146390.tif 000005
【図４】
2013146390.tif 000006
【図５】
2013146390.tif 000007
【図６】
2013146390.tif 000008
【図７】
2013146390.tif 000009
【図８】
2013146390.tif 000010